(57)【要約】【課題】幅方向両側部位の厚さ方向の反りを抑制することができる建具用框組状パネルを提供する。【解決手段】縦框部３，３と横框部４，４とでなる框組体２と、その内側開口部７に嵌め込まれる鏡板５とを備え、前記縦框部と前記横框部とが縦勝ち状でダボ６０とダボ穴６１とでなるダボ構造６にて結合されている建具用框組状パネル１であって、前記縦框部と前記横框部とが結合される結合端面３０，４０のそれぞれには、前記ダボ構造が設けられ、前記ダボ構造は、前記結合端面の上下方向に所定の間隔を空けて複数設けられ、かつ前記結合端面の厚さ方向に千鳥状にずれた位置に設けられていることを特徴とする。【選択図】図１
2014095224.tif 000002
【特許請求の範囲】
【請求項１】
縦框部と横框部とでなる框組体と、その内側開口部に嵌め込まれる鏡板とを備え、前記縦框部と前記横框部とが縦勝ち状でダボとダボ穴とでなるダボ構造にて結合されている建具用框組状パネルであって、
前記縦框部と前記横框部とが結合される結合端面のそれぞれには、前記ダボ構造が設けられ、
前記ダボ構造は、前記結合端面の上下方向に所定の間隔を空けて複数設けられ、かつ前記結合端面の厚さ方向に千鳥状にずれた位置に設けられていることを特徴とする建具用框組状パネル。
【請求項２】
請求項１において、
複数の前記ダボ構造のうち隣合って形成されるダボ構造は、前記結合端面の厚さ方向の中心線に対して反対側に配設されていることを特徴とする建具用框組状パネル。
【請求項３】
請求項２において、
前記中心線から前記ダボ構造の形成位置までの距離は、いずれも略同じとされていることを特徴とする建具用框組状パネル。
【発明の詳細な説明】
【技術分野】
【０００１】
本発明は、框組体と、その内側開口部に嵌め込まれた鏡板とを備えた建具用框組状パネルに関する。
【背景技術】
【０００２】
従来より、縦框部と横框部とでなる框組体と、その内側開口部に嵌め込まれる鏡板とを備え、前記縦框部と前記横框部とが縦勝ち状でダボとダボ穴とでなるダボ構造にて結合されている建具用框組状パネルが知られている。
このような建具用框組状パネルとしては、下記特許文献１及び下記特許文献２が挙げられる。
【０００３】
特許文献１には、縦框に形成されるダボ穴の内面に沿って細溝が設けられた木製扉枠体が開示されている。これによれば、ダボを嵌め入れる際に圧縮されるダボ穴内部の空気や接着剤を細溝から逃がすと同時にその余分となった接着剤を細溝で留めることができるとされている。
特許文献２には、縦框の上下端面に横框の側端面が嵌入される凹段部を形成し、この凹段部に横框に設けられたダボがダボ結合されるダボ穴が設けられた框組み扉が開示されている。これによれば、ダボ結合して框組を構成する際に突き合わせ端部が露出することがないとされている。
【先行技術文献】
【特許文献】
【０００４】
【特許文献１】実開平３−５４５８８号公報
【特許文献２】特開２００４−２７６１８号公報
【発明の概要】
【発明が解決しようとする課題】
【０００５】
ところで、このような建具用框組状パネルは、縦框部と横框部の突き合わせ部分に結合強度を持たせるのが難しいため、建具用框組状パネルの幅方向両側部位の厚さ方向に反りが発生しやすい点が問題となる。
しかしながら、上記各特許文献に開示されている建具用框組状パネルは、結合強度を向上させて上述の厚さ方向の反りを抑制する構造としたものではなかった。
【０００６】
本発明は、上記実情に鑑みなされたものであり、幅方向両側部位の厚さ方向の反りを抑制することができる建具用框組状パネルを提供することを目的としている。
【課題を解決するための手段】
【０００７】
前記目的を達成するために、本発明に係る建具用框組状パネルは、縦框部と横框部とでなる框組体と、その内側開口部に嵌め込まれる鏡板とを備え、前記縦框部と前記横框部とが縦勝ち状でダボとダボ穴とでなるダボ構造にて結合されている建具用框組状パネルであって、前記縦框部と前記横框部とが結合される結合端面のそれぞれには、前記ダボ構造が設けられ、前記ダボ構造は、前記結合端面の上下方向に所定の間隔を空けて複数設けられ、かつ前記結合端面の厚さ方向に千鳥状にずれた位置に設けられていることを特徴とする。
本発明において、複数の前記ダボ構造のうち隣合って形成されるダボ構造は、前記結合端面の厚さ方向の中心線に対して反対側に配設してもよい。
また本発明において、前記中心線から前記ダボ構造の形成位置までの距離は、いずれも略同じにしてもよい。
【発明の効果】
【０００８】
本発明に係る建具用框組状パネルによれば、幅方向両側部位の厚さ方向の反りを抑制することができる。
【図面の簡単な説明】
【０００９】
【図１】本発明の一実施形態に係る建具用框組状パネルを模式的に示した図であり、（ａ）は縦框部の結合端面を示す概略側面図、（ｂ）は横框部の結合端面を示す概略斜視図である。
【図２】（ａ）は同建具用框組状パネルのダボ結合部分を模式的に示す概略分解斜視図であり、（ｂ）は同建具用框組状パネルの縦框部及び横框部をダボ結合した状態を模式的に示す概略斜視図である。
【図３】同建具用框組状パネルの全体を模式的に示す概略分解斜視図である。
【発明を実施するための形態】
【００１０】
以下に本発明の実施の形態について、図１〜図３を参照しながら説明する。なお、一部の図では、他図に付している詳細な符号の一部を省略している。
本実施形態に係る建具用框組状パネル１は、縦框部３，３と横框部４，４とでなる框組体２と、その内側開口部７に嵌め込まれる鏡板５とを備え、縦框部３，３と横框部４，４とが縦勝ち状でダボ６０とダボ穴６１とでなるダボ構造６にて結合されている。
縦框部３と横框部４とが結合される結合端面３０，４０のそれぞれには、ダボ構造６が設けられ、ダボ構造６は、結合端面３０，４０の上下方向に所定の間隔を空けて複数設けられ、かつ結合端面３０，４０の厚さ方向（ｄ・図１（ａ），（ｂ）参照）に千鳥状にずれた位置に設けられている。
以下、詳しく説明する。
【００１１】
建具用框組状パネル１は、図３に示すように、上下（縦方向）に長尺の略矩形板状とされ、略矩形の額縁状に枠組みされた框組体２の内側開口部７に、この框組体２の厚さよりも薄く形成された鏡板５が配設されている。鏡板５は透光性を有する透明なガラス材、アクリル樹脂材などからなるものとしてもよいし、木質系材料からなるものであってもよい。
【００１２】
框組体２は、左右の両側に配される一対の縦框部３，３と、上側と下側に配される一対の横框部４，４とで構成されており、一対の縦框部３，３の間に横框部４，４を挟み込む縦勝ち構造とされている。
図中、３ａ、４ａは縦框部３及び横框部４の表面、３ｂ、４ｂは縦框部３及び横框部４の裏面を示している。
【００１３】
框組体２は、枠体２０と、枠体２０を被覆する表面材２１とで構成され、枠体２０の具体的な構造は示していないが、略角柱状に加工された複数の芯材を枠組みして形成されたいわゆるフラッシュ構造の枠体とされている。芯材のうち、鏡板５が差し込まれる枠体２０には、差込溝２２が形成されている。また縦框部３の結合端面３０には、横框部４の結合端面４０が嵌め入れられる凹段部２０ａ（図２（ａ）参照）が形成されている。
これにより、框組体２を枠組みして額縁状にした際には、縦框部３と横框部４の結合部位が凹段部２０ａに嵌り込んで見えず、すっきりとした見栄えのよいものとすることができる（図２（ｂ）参照）。
【００１４】
これら芯材を枠組することによって形成される空間は中空としてもよいし、厚さ方向に開口する多数の中空筒状セルの集合体からなるコア材などを配設したものとしてもよい。
また芯材としては、例えば、ＬＶＬ（単板積層材）等の木質積層板や、パーティクルボードやＭＤＦ（中密度繊維板）等の木質繊維板等から製されたものを用いることができる。
枠体２０を被覆する表面材２１は、ＭＤＦ等の木質繊維板を基材とし、その表面には、化粧シートが積層され貼着一体とされている。化粧シートとしては、木目模様等の種々の模様が施された合成樹脂フィルムなどを用いることができ、防汚性や耐光性、撥水性等を有したものとしてもよい。
【００１５】
図１（ａ）及び（ｂ）、図２（ａ）に示すように一対の縦框部３，３と一対の横框部４，４とは、ダボ６０とダボ穴６１とでなるダボ構造６にて結合されており、ダボ構造６は、縦框部３と横框部４との結合部分に形成されている。
縦框部３の上下端部における横框部４との結合端面３０には、上下方向に所定の間隔を空けて複数個のダボ穴６１が設けられており、これらダボ穴６１は、結合端面３０の厚さ方向ｄに千鳥状にずれた位置に設けられている。
また横框部４は、その長手方向両端面が縦框部３との結合端面４０になっており、この結合端面４０には、上下方向に所定の間隔を空けて複数個のダボ６０が設けられている。そしてこれらダボ６０は、結合端面４０の厚さ方向ｄに千鳥状にずれた位置に設けられている。
複数のダボ構造６のうち隣合って形成されるダボ構造６は、不規則に蛇行にて設けられるものとしてもよいが、図に示すように結合端面３０，４０の厚さ方向の中心線Ｌに対して反対側に配設してもよい。
【００１６】
図１（ａ）及び図１（ｂ）を参照しながらダボ構造６についてさらに詳しく説明する。
図１（ａ）及び図１（ｂ）に示す白抜矢印は、中心線Ｌを挟んでずらして設けられる方向を概略的に示している。
図１（ａ）において、結合端面３０の中央部位に設けられたダボ穴６１を６１ｂ、そのダボ穴６１ｂを挟んで両外側に設けられたダボ穴６１を６１ａとする。ダボ穴６１ａ，６１ａは、中心線Ｌよりも表面３ａ側にそれぞれが同じ距離ずれた位置に設けられる。ダボ穴６１ｂは中心線Ｌよりも裏面３ｂ側にダボ穴６１ａと同じ距離ずれた位置に設けられている。
また図１（ｂ）において、結合端面４０の中央部位に設けられたダボ６０を６０ｂ、そのダボ６０ｂを挟んで両外側に設けられたダボ６０を６０ａとする。
ダボ穴６１ａ，６１ｂ，６１ａとダボ６０ａ，６０ｂ，６０ａの形成位置の関係は、ダボ結合させる際に対向して配置されるダボ穴６１ａ，６１ｂ，６１ａに、突出して形成されたダボ６０ａ，６０ｂ，６０ａを挿入し嵌合させることができる位置とされる。
よってダボ６０ａ，６０ａは、ダボ穴６１ａ，６１ａに対向して中心線Ｌより表面４ａ側にずれた位置に設けられる。またダボ６０ｂは、ダボ穴６１ｂに対向して中心線Ｌより裏面４ｂ側にずれた位置に設けられる。
【００１７】
このように複数のダボ構造６のうち隣合って形成されるダボ構造６は、結合端面３０，４０の厚さ方向の中心線Ｌに対して反対側に配設すれば、中心位置を目安に、容易にそして確実に千鳥状に配置されたダボ構造６を形成することができる。
また中心線Ｌからダボ構造６の形成位置までの距離は、図例のようにいずれも略同じすることが望ましい。
これによれば、厚さ寸法に限りがある縦框部３及び横框部４の結合端面３０，４０に効率よく、そして納まりよくダボ構造６を形成することができる。
ここでダボ構造６の形成個数は、特に限定されないが、図例のように奇数個のダボ構造６とすることが望ましい。
【００１８】
以上の構成によれば、ダボ構造６を千鳥状にずれた位置に設けることで、縦勝ち構造とした建具用框組状パネル１に生じやすい幅方向両側部位の厚さ方向の反り発生を抑制することができる。
例えば、ダボ構造を結合端面の厚さ方向の中心線に沿って直線状に複数設けた場合に、上述の厚さ方向の反りが発生すると、ダボ構造による結合部位では、結合端面の厚さ方向の同じ個所に設けられたダボ構造６に反ろうとする力が作用して反りが生じやすくなる。
しかし、図例のようにダボ構造６の形成位置を千鳥状にずれた位置とすれば、結合部位に反ろうとする力がかかっても、厚さ方向ｄにずれた位置でダボ結合されているので、その反ろうとする力が分散される。よって、幅方向両側部位の厚さ方向の反り発生を抑制することができる。
【００１９】
次に、本実施形態に係る建具用框組状パネル１の製造工程の一例について、簡単に説明する。
まず、芯材を枠組みして枠体２０を形成する。枠体２０は、一対の縦框部３用、一対の横框部４用の計４本を作製する。それぞれの枠体２０の芯材に鏡板５を差し込むための差込溝２２を削成し、縦框部３の結合端面３０には、横框部４の結合端面４０が嵌合する凹段部２０ａを削成する。また縦框部３及び横框部４のそれぞれの結合端面３０，４０に、ダボ構造６を形成する。このダボ構造６を形成方法は特に限定されないが、まず結合端面３０，４０のそれぞれに、円形凹状のダボ穴を形成するようにしてもよい。このとき、このダボ穴は、結合端面３０，４０の厚さ方向ｄに千鳥状にずれた位置に形成する。そしてダボ６０とする側（図例の場合は横框部４の結合端面４０）に円柱状のダボ部材を嵌め入れる。
そして、差込溝２２等が予め形成されたそれぞれの枠体２０に表面材２１を被覆し、接着する。
鏡板５を差込溝２２に順次差し込み、縦框部３と横框部４とをダボ結合し、横框部４の結合端面４０を凹段部２０ａに嵌め入れ、框組体２を形成すれば（図３参照）、建具用框組状パネル１を得ることができる。
【００２０】
なお、本実施形態の建具用框組状パネル１、框組体２、縦框部３、横框部４、鏡板５、ダボ構造６などの構成、構造、ダボ構造６の形成位置は、一例であって上述の例や図例のものに限定されるものではない。例えばダボ構造６は、ダボが縦框部３に形成され、ダボ穴が横框部４に形成されるようにしてもよい。またダボ６０の形状も図例の円柱状に限定されず、側面に溝が形成されているようなものであってもよいし、楔形状のものであってもよい。
またの建具用框組状パネル１は、開閉扉や引戸用の扉パネル、折戸を構成する戸板、家具材等のパネル材などとして用いることができる。
さらに上述の製造工程の説明は一例すぎず、工程はこれに限定されない。
【符号の説明】
【００２１】
１        建具用框組状パネル
２        框組体
３        縦框部
３０      結合端面
４        横框部
４０      結合端面
５        鏡板
６        ダボ構造
６０      ダボ
６１      ダボ穴
７        内側開口部
Ｌ        中心線
【図１】
2014095224.tif 000003
【図２】
2014095224.tif 000004
【図３】
2014095224.tif 000005